(57)【要約】【課題】通帳等の媒体が搬送路上にあってもシャッターのスムーズな開閉を可能とした冊子状媒体の搬送ユニットを提供することである。【解決手段】提案する冊子状媒体の搬送ユニットは、通帳等の冊子状媒体の搬送方向に直交する方向に長手方向が設けられた開口部と、該開口部の一端の媒体搬送面より下側に配置され、前記搬送方向に直交する方向を長手方向に持つ前記冊子状媒体の磁気ストライプのデータを読み書きする読み書きヘッドと、前記開口部の他端の媒体搬送面より下側に設けられ、前記冊子状媒体の先端部の前記開口部への侵入を防ぐためのシャッターと、前記シャッターを駆動する駆動部と、を有する。【選択図】図３
2010176532.tif 000002
【特許請求の範囲】
【請求項１】
通帳等の冊子状媒体の搬送方向に直交する方向に長手方向が設けられた開口部と、
該開口部の一端の媒体搬送面より下側に配置され、前記搬送方向に直交する方向を長手方向に持つ前記冊子状媒体の磁気ストライプのデータを読み書きする読み書きヘッドと、
前記開口部の他端の媒体搬送面より下側に設けられ、前記冊子状媒体の先端部の前記開口部への侵入を防ぐためのシャッターと、
前記シャッターを駆動する駆動部と、を有し、
前記読み書きヘッドによる前記冊子状媒体の磁気ストライプへの読み書き時には、前記駆動部により、前記シャッターを搬送路から退避する位置まで移動させることを特徴とする冊子状媒体の搬送ユニット。
【請求項２】
前記シャッターの前記冊子状媒体と対向する面には、複数のリブが配置され、前記複数のリブを介して前記シャッターと前記冊子状媒体とが接触するようにするとともに、前記複数のリブを、前記冊子状媒体の搬送路の面より下がった位置に配置したことを特徴とする請求項１記載の冊子状媒体の搬送ユニット。
【請求項３】
前記シャッターの前記冊子状媒体と対向する面の裏面には、両側にラックが設けられ、
前記裏面に対する受け側には、前記両側のラックとかみ合う複数のギアが配置されたことを特徴とする請求項１記載の冊子状媒体の搬送ユニット。
【請求項４】
前記駆動部は、
動力源としてのソレノイドと、
前記シャッターに一端が回転可能に固定されるとともに、他端が回転軸に固定されたレバーと、
該レバーと同じ回転軸に固定されたリンクと、
該回転軸に固定されたリンクに対し、回転可能に固定された前記ソレノイドのリンクと、
前記ソレノイドにより、前記回転可能に固定されたリンクが吸引されたときに、前記シャッターを前記開口部の他端の位置に復帰させるべく、媒体搬送方向に移動されるスプリングと、により構成することを特徴とする請求項１記載の冊子状媒体の搬送ユニット。
【発明の詳細な説明】
【技術分野】
【０００１】
本発明は、媒体搬送方向に対し磁気ストライプの長手方向が直交する横ＭＳが設けられた冊子状媒体を搬送する搬送ユニットに関する。
【背景技術】
【０００２】
銀行等の窓口でオペレータ等によって操作される装置として記帳専用機がある。この記帳専用機では、通帳などの冊子状媒体の他に、伝票等も記帳できる。
通帳あるいは伝票等の媒体には、媒体を識別するためのデータを記録した磁気ストライプ（以下、“ＭＳ”という）が表紙もしくは裏表紙に貼り付けられている。
【０００３】
このような記帳専用機では、通常、媒体の搬送路上に設けられた細長い矩形形状をした開口部の下側の一端に読み書きヘッド（以下、“Ｒ／Ｗヘッド”という）が配置されている。なお、開口部の長手方向は、細長い矩形形状をしたＭＳの長手方向に一致している。例えば、ＭＳの長手方向が通帳の搬送方向に直交している横ＭＳの場合、上述の開口部もその長手方向が通帳の搬送方向に対して直交している。
【０００４】
Ｒ／ＷヘッドによるＭＳへの読み書き時には、搬送路上の予め定められた位置まで通帳を移動しておいて、Ｒ／ＷヘッドをＭＳの長手方向に移動させて、ＭＳからデータを読み出すか、または、ＭＳにデータを書き込むかしている。ここで、例えば、特許文献１に示される機構では、上記開口部の一端を読み書き時以外はシャッターにより閉鎖して、媒体が曲がる等して変形した場合に、例えばその媒体の先端部が開口部に侵入しないようにしている。
【０００５】
一方で、通帳等の媒体がＭＳの読み書き位置にセットされたときは、上記シャッターは回転して退避位置に移動して、開口部の一端から他端までの範囲をＲ／Ｗヘッドが自由に移動してＭＳへの読み書きができるようにしている。なお、特許文献１の機構では、退避位置への移動時の回転軸の方向は媒体搬送面に垂直な方向となる。
【０００６】
なお、関連技術として、特許文献２には、シャッターガイドの回転軸の方向が媒体搬送面の媒体搬送方向に直交する方向である場合のシャッターガイドを回転させる機構が示されている。
【０００７】
また、特許文献３には、自動取引装置のユニットの全部もしくは一部を個別に引き出し方向および挿入方向に移動するユニット移動手段（ギア、ラック）が示されている。
従来の方法によれば、動力源としてソレノイドが採用されているために、搬送幅の大きな穴を塞ごうとすると、多大な力がソレノイドに要求される。また、搬送路に媒体があった場合に、渋りまたは媒体の負荷でシャッターが開閉できない場合には、ソレノイドにかかる負荷が一層増す。逆に、たまたま渋り等の少ない媒体があった場合には、ソレノイドの力でシャッターを破壊してしまう、という問題がある。
【先行技術文献】
【特許文献】
【０００８】
【特許文献１】特開２００３−１９６６９６号公報
【特許文献２】特開平１１−５９９５８号公報
【特許文献３】実開平５−１７７７７号公報
【発明の概要】
【発明が解決しようとする課題】
【０００９】
本発明は、以上の問題点を考慮してなされたものであり、通帳等の媒体が搬送路上にあってもシャッターのスムーズな開閉を可能とした冊子状媒体の搬送ユニットを提供することを目的とする。
【課題を解決するための手段】
【００１０】
提案する第１の冊子状媒体の搬送ユニットは、通帳等の冊子状媒体の搬送方向に直交する方向に長手方向が設けられた開口部と、該開口部の一端の媒体搬送面より下側に配置され、前記搬送方向に直交する方向を長手方向に持つ前記冊子状媒体の磁気ストライプのデータを読み書きする読み書きヘッドと、前記開口部の他端の媒体搬送面より下側に設けられ、前記冊子状媒体の先端部の前記開口部への侵入を防ぐためのシャッターと、前記シャッターを駆動する駆動部と、を有し、前記読み書きヘッドによる前記冊子状媒体の磁気ストライプへの読み書き時には、前記駆動部により、前記シャッターを搬送路から退避する位置まで移動させるものである。
【００１１】
提案する第２の冊子状媒体の搬送ユニットは、前記第１の冊子状媒体の搬送ユニットにおいて、前記シャッターの前記冊子状媒体と対向する面には、複数のリブが配置され、前記複数のリブを介して前記シャッターと前記冊子状媒体とが接触するようにするとともに、前記複数のリブを、前記冊子状媒体の搬送路の面より下がった位置となるように配置したものである。
【００１２】
提案する第３の冊子状媒体の搬送ユニットは、前記第１の冊子状媒体の搬送ユニットにおいて、前記シャッターの前記冊子状媒体と対向する面の裏面には、両側にラックが設けられ、前記裏面に対する受け側には、前記両側のラックとかみ合う複数のギアが配置されたものである。
【発明の効果】
【００１３】
提案する第１の冊子状媒体の搬送ユニットでは、前記駆動部により、前記シャッターを搬送路から退避する位置まで例えば媒体搬送方向に移動させる構成は、上記特許文献１に示されるシャッターを回転させて移動させる構成と比較して、レバー比（シャッターを動かしている部分と、マグネットのストロークの比）を小さく抑えることができる。例えば１／３程度に抑えられることができるという実験の結果もある。これにより、例えば動力源としてのソレノイドの負荷を軽減させることが可能となり、ソレノイドの小型化による省スペース化、負荷軽減による電流値軽減、シャッターの長寿命化、コストダウン等が計れる。
【００１４】
提案する第２の冊子状媒体の搬送ユニットによれば、前記シャッターの前記冊子状媒体と対向する面に配置された複数のリブを介して前記シャッターと前記冊子状媒体とが接触するようにしたので、前記シャッターと前記冊子状媒体との接触面積を減らすことができ、前記シャッターと前記冊子状媒体との接触による前記シャッターの動き渋り、破損等の発生度合いを軽減させることができる。そして、これにより、ソレノイドの負荷をさらに軽減させることができる。なお、前記複数のリブを、前記冊子状媒体の搬送路の面より下がった位置となるように配置することで、前記シャッターの動き渋り、破損等の発生の度合いを一層軽減させることができるようになる。
【００１５】
提案する第３の冊子状媒体の搬送ユニットによれば、前記シャッターの前記冊子状媒体と対向する面の裏面には、両側にラックが設けられ、前記裏面に対する受け側には、前記両側のラックとかみ合う複数のギアが配置されている。この両側のラックが、受け側の複数のギアとかみ合うことで、前記シャッターが媒体搬送方向あるいはその逆方向に移動するときに、前記シャッターの動き始めのしぶりを軽減させることができる。
【図面の簡単な説明】
【００１６】
【図１】本発明の一実施形態に係るインサータユニットの外観斜視図である。
【図２】図１のポケットユニットを、パスウェイユニットと対向する面から見た斜視図である。
【図３】パスウェイユニットの斜視図である。
【図４】図１のインサータユニットをいずれかのリブのところで切った断面図（その１）である。
【図５】図１のインサータユニットをいずれかのリブのところで切った断面図（その２）である。
【図６】仮想的なシャッターの、通帳と対向する面と、通帳とが搬送面と同一の高さ位置で接触する場合の断面図である。
【図７】搬送路などが形成される筺体を取り外した状態でのパスウェイユニットの斜視図である。
【図８Ａ】シャッター開放時のシャッターユニットの状態を示す斜視図である。
【図８Ｂ】シャッター遮蔽時のシャッターユニットの状態を示す斜視図である。
【図９】シャッターの通帳と対向する面の裏面と、その裏面に対向する受側のギア機構とを示した図である。
【発明を実施するための形態】
【００１７】
以下図面に基づいて、本発明の実施形態を詳細に説明する。
図１は、本発明の一実施形態に係るインサータユニットの外観斜視図である。
図１において、パスウェイユニット３の上にポケットユニット２をかぶせることで、インサータユニット１が構成される。
【００１８】
ポケットユニット２は、伝票等の媒体の搬送を行なう伝票搬送部として機能し、パスウェイユニット３は、通帳等の冊子状の媒体の搬送を行なう通帳搬送部として機能する。
通帳は開かれた状態で、ポケットユニット２とパスウェイユニット３との間に形成される空隙部を搬送ローラ（図１では不図示）により所定方向に搬送される。
【００１９】
図２は、図１のポケットユニットを、パスウェイユニットと対向する面から見た斜視図である。
図２において、ポケットユニット２のパスウェイユニット３と対向する面には、Ｒ／Ｗヘッドの通帳に対するヘッドタッチをよくするための凸部５、６−１、６−２、７が設けられ、さらに、通帳等の媒体を搬送するための４つの上側搬送ローラ８が設けられている。また、矢印Ａ方向が媒体搬送方向である。
【００２０】
図３は、パスウェイユニットの斜視図である。
図１のインサータユニット１からポケットユニット２を取り外すことで、図３に示すパスウェイユニットの斜視図が得られる。
【００２１】
冊子状媒体である通帳には、媒体を識別するための磁気ストライプ（以下、“ＭＳ”という）が表紙もしくは裏表紙に貼り付けられている。ＭＳに記録されるデータには、支店番号、口座番号、印字済みページ数、印字開始の行位置などがある。ＭＳは細長い矩形形状をしており、長手方向が通帳の搬送方向に対して直交しているものを横ＭＳ、長手方向が通帳の搬送方向と一致しているものを縦ＭＳという。
【００２２】
図３には開口部１１および１２が示されているが、このうち、開口部１２が横ＭＳに対応して設けられたものであり、開口部１１が縦ＭＳに対応して設けられたものである。なお、本実施形態では横ＭＳが付けられた通帳を対象とする。
【００２３】
また、開口部（横ＭＳ対応の場合は開口部１２、縦ＭＳ対応の場合は開口部１１）の下側の一端に読み書きヘッド（以下、Ｒ／Ｗヘッド）（不図示）が配置されている。
Ｒ／ＷヘッドによるＭＳへの読み書き時には、搬送路上の予め定められた位置（ＭＳ位置が開口部と同じとなる位置）まで通帳を移動し、Ｒ／ＷヘッドをＭＳの長手方向に移動させて、ＭＳからデータを読出し及び書込みを行っている。なお、開口部１２は、ＭＳからデータを読出し及び書込み時以外は、はシャッターにより閉鎖して、通帳等の媒体の先端部が開口部に侵入しないようにしている。
【００２４】
また、図３において、４つの下側搬送ローラ１３は、図２の４つの上側搬送ローラ８に対しそれぞれ対向する位置に設けられている。そして、４組の搬送ローラ対が回転することによって通帳等の媒体を、図２の矢印Ａ方向あるいは図３の矢印Ｂ方向（これらは同一の方向である）または、矢印Ａ方向あるいは矢印Ｂ方向とは反対方向に搬送する。また、搬送路にはガイド４が設けられ、通帳等の媒体は、カイド４に沿って搬送される。
【００２５】
シャッター２１は、図３では、通帳と対向する面の一部（複数のリブ２２が設けられた部分）のみが図示されている。
通帳等の媒体の受け渡しをよくするために、シャッター２１の通帳と対向する面を直接通帳と接触させる代わりに、そのシャッター２１の通帳と対向する面に複数のリブ２２を立てかけるように配置し、その複数のリブ２２を介してシャッター２１と通帳とが接触するようにする。
【００２６】
この際、通帳の側に近づくに従い（図３の矢印Ｃ方向に向かうほど）、リブ２２を短い間隔で配置するようにするとともに、それぞれのリブ２２の先端部分を、搬送路の面より下がった位置となるように配置する。これにより、通帳が搬送時に変形し、開口部１２に侵入しようとした場合でも、シャッター２１の通帳と対向する面と、通帳との接触面積を少なくでき、シャッター２１と通帳との接触によるシャッター２１の動き渋り、破損等の発生度合いを軽減させることが可能となる。結果として、動力源としてのソレノイド（不図示）にかかる負荷を軽減できる。
【００２７】
なお、シャッター２１の移動時に、シャッター２１の複数のリブ２２が、搬送路等が設けられた筺体に衝突しないように、その筺体上には、複数のリブ２２を通すための複数の穴２３が設けられている。
【００２８】
図４および図５は、図１のインサータユニットをいずれかのリブ２２のところで切った断面図である。
図４に示すように、通帳２５が正常な状態で変形することなく搬送路上を搬送されてきた場合は、シャッター２１と通帳２５とが接触することによる摩擦はほとんど発生しない。
【００２９】
一方、図５に示すように、通帳２５が変形された状態で搬送路上を搬送されてきた場合は、シャッター２１のリブ２２と通帳２５とが接触することになるが、シャッター２１のリブ２２と通帳２５との間ではリブ２２の通帳２５と接触する面の面積が小さいために、その接触によって、シャッター２１の動き渋りが発生したり、シャッター２１が破損したりする可能性が低減される。なお、このシャッター２１の動き渋り、破損等の発生の度合いは、それぞれのリブ２２の先端部分を、搬送路の面より下がった位置となるように配置することで一層低減する。なお、図２のポケットユニット２の凸部７により、通帳２５が変形したときに、その先端部が開口部に一層入りやすくなる。
【００３０】
なお、図６に示すように、仮想的なシャッター２６が複数のリブ２２を持たず、仮想的なシャッター２６の通帳２５と対向する面と、通帳２５とが搬送面と同一の高さ位置で接
触する場合、接触する面の面積がリブ２２を複数設けた場合と比較し大きくなるとともに、通帳２５が例えば図５と同程度に変形されて搬送路上を搬送されてきた場合、仮想的なシャッター２６の通帳２５と対向する面は、その高さ位置と接触面積とにより一層強く通帳２５により押さえられることになり、発生する摩擦が図５の場合と比較し、かなり大きくなり、結果として、動力源としてのソレノイドにかかる負荷がかなり増す。
【００３１】
本実施形態の媒体搬送方向およびその逆方向にシャッターを移動させる構成は、上記特許文献１に示されるシャッターを回転させて移動させる構成と比較して、レバー比（シャッターを動かしている部分と、マグネットのストロークの比）が１／３程度に抑えられることが実験の結果判明した。
【００３２】
図７は、搬送路などが形成される筺体を取り外した状態でのパスウェイユニットの斜視図である。
図７において、シャッターユニットは、シャッター２１と、そのシャッター２１を駆動するための駆動部とにより構成されている。
【００３３】
駆動部は、動力源としてのソレノイド（不図示）と、シャッター２１に一端が回転可能に固定されるとともに、他端が回転軸３２に固定されたレバー３１と、レバー３１と同じ回転軸に固定されたリンク３３（これは、後述の図８Ａに示される）と、回転軸に固定されたリンク３３に対し、回転可能に固定された上記ソレノイドのリンク（これは、後述の図８Ａに示される）３４と、上記ソレノイドにより、上記回転可能に固定されたリンク３４が吸引されたときに、シャッター２１を上記開口部の一方の端の位置に復帰させるべく、通帳搬送方向に移動させるスプリング（不図示）と、により構成される。
【００３４】
シャッター２１の開放時には、上記ソレノイドがオンとなることにより、上記リンクがそのソレノイドに吸引されて、シャッター２１が図８Ａの矢印Ａ方向に移動して、シャッター２１が退避位置にセットされる。
【００３５】
また、シャッター２１の遮蔽時には、図８Ｂに示すように、上記スプリングの作用により、開口部の一方の端の位置にシャッター２１はセットされる。
図９は、シャッターの通帳と対向する面の裏面と、その裏面に対向する受け側のギア機構とを示した図である。
【００３６】
図９において、シャッター２１の通帳と対向する面の裏面には、両側にラック３５が設けられている。この両側のラック３５が、受け側の４つの歯車（ギア）３６とかみ合うことで、シャッター２１が図８Ｂの矢印Ａ方向あるいはそのＡ方向の逆方向に移動するときに、シャッター２１の動き始めのしぶりを軽減させることができる。
【００３７】
ギア３６を設けず、ラック３５の代わりにレールのみを用いた場合、シャッターが斜めになったときに、動きのしぶりが発生しやすくなるので上記構成（ギア（アイドル歯車）とラックを取り付けた構成）を採用した。
【符号の説明】
【００３８】
１      インサータユニット
２      ポケットユニット
３      パスウェイユニット
４      カイド
５、６−１、６−２、７      凸部
８      上側搬送ローラ
１１      縦ＭＳ用開口部
１２      横ＭＳ用開口部
１３      下側搬送ローラ
２１、２６      シャッター
２２      リブ
２３      穴
２５      通帳
３１      レバー
３２      回転軸
３３      回転軸に固定されたリンク
３４      ソレノイドのリンク
３５      ラック
３６      ギア
【図１】
2010176532.tif 000003
【図２】
2010176532.tif 000004
【図３】
2010176532.tif 000005
【図４】
2010176532.tif 000006
【図５】
2010176532.tif 000007
【図６】
2010176532.tif 000008
【図７】
2010176532.tif 000009
【図８Ａ】
2010176532.tif 000010
【図８Ｂ】
2010176532.tif 000011
【図９】
2010176532.tif 000012